(57)【要約】【課題】サニタリー用品を細かく粉砕できるようにする。【解決手段】処理用筐体６０の内部に設けられた粉砕手段７０は、互いに噛合する第１および第２の回転刃部材７０Ａ，７０Ｂを有する。これら回転刃部材のそれぞれは、同軸上に所定の間隔を保持して設けられた複数の回転刃７４，７６で構成される。処理用筐体の投入口６０ａからサニタリー用品が投入される。投下されたサニタリー用品は回転刃部材７０Ａ，７０Ｂの間に掻き込まれることで、サニタリー用品はこれら複数の回転刃によって粉砕される。回転刃としてクロスカット刃を使用する場合には、この回転刃によって細かく裁断された状態で粉砕される。粉砕されたサニタリー用品は回転刃部材の下側に落下する。粉砕処理中あるいは粉砕処理後に、投入口側から適量の水道水（粉砕水）を流し込むことで、粉砕されたサニタリー用品はこの水道水と共に排出口６０ｂから下水管側に排出される。【選択図】        図２
2007209930.tif 000002
【特許請求の範囲】
【請求項１】
上端側が開口されてサニタリー用品の投入口となされ、その下端側が排水管に接続される排出口となされた処理用筐体と、
上記処理用筐体の内部に設けられた粉砕手段とで構成され、
上記粉砕手段は、互いに噛合する第１および第２の回転刃部材を有し、
上記第１および第２の回転刃部材のそれぞれは、上記投入口に対して水平に設置されると共に、これら回転刃部材は、同軸上に所定の間隔を保持して設けられた複数の回転刃で構成された
ことを特徴とするサニタリー用品処理装置。
【請求項２】
上記処理用筐体の側面に着脱孔が設けられ、
上記粉砕手段が上記着脱孔を介して上記処理用筐体に対して着脱自在に装着固定された
ことを特徴とする請求項１記載のサニタリー用品処理装置。
【請求項３】
上記回転刃は、クロスカット刃である
ことを特徴とする請求項１記載のサニタリー用品処理装置。
【請求項４】
上記粉砕手段の上方に、上記サニタリー用品に対する掻き込み手段が設けられ、
この掻き込み手段は、所定の間隔を保持して対向配置された掻き込み用の一対の回転部材で構成され、
上記回転部材には、同軸上に配置された複数の爪付き回転板を有する  
ことを特徴とする請求項１記載のサニタリー用品処理装置。
【請求項５】
上記投入口付近には、洗浄水の給水管が取り付けられ、
上記サニタリー用品の粉砕処理に関連して上記洗浄水が上記処理用筐体内に給水される
ことを特徴とする請求項１記載のサニタリー用品処理装置。
【請求項６】
上記第１および第２の回転刃部材の少なくとも一方は、上記複数の回転刃の上記間隔内に掻き落とし部材が配設されている
ことを特徴とする請求項１記載のサニタリー用品処理装置。
【発明の詳細な説明】
【技術分野】
【０００１】
この発明はサニタリー用品を粉砕して下水用排水管側に排出できるようにしたサニタリー用品処理装置に関する。詳しくは、サニタリー用品の粉砕手段として回転刃を多数備えた回転刃部材を用い、これらを互いに噛合させながら駆動することで、サニタリー用品を効率よく粉砕できるようにしたものである。
【背景技術】
【０００２】
生理用品などで代表されるサニタリー用品は、使用後直接水洗トイレなどに投棄すると、排水管などが詰まったりするおそれがある。そのため、サニタリー用品は使用後トイレに備え付けられた専用のゴミ箱に投棄するか、ポリ袋などに入れてゴミ回収日まで保管し、燃えるゴミとして廃棄処分されるのが普通である。
【０００３】
このような煩わしさを解消するため、トイレ内などにサニタリー用品処理装置を備えておき、ここに使用後のサニタリー用品を投棄し、排水管に排出できる程度に粉砕処理することで、水洗トイレに排出された汚物と同じように排水管側に廃棄できれば好ましい。このような処理装置は既に提案されている（例えば、特許文献１）。
【０００４】
また、最近ではベビー用の紙おむつや、成人介護用の紙おむつなどが普及しているが、これらの紙おむつなどもサニタリー用品と同じように、同じ処理装置を用いて処理できれば非常に便利である。
【０００５】
【特許文献１】特開平１０−１４０６３８号公報
【発明の開示】
【発明が解決しようとする課題】
【０００６】
ところで、特許文献１に開示された処理装置は、水道水の水圧でタービンを回転させ、タービンの上部に取り付けられた回転軸に粉砕カッタを取り付けた構成となっている。粉砕カッタは水面より充分沈んだ位置に取り付けられているので、投入されたサニタリー用品が粉砕カッタまで到達するまでに時間がかかると共に、タービンの上側に回転カッタが取り付けられているため、タービンに回転力を付与するために水道水を供給すると、折角沈みかけたサニタリー用品がタービンによる回転水流によって再度浮上するおそれがあり、回転カッタによって、サニタリー用品を充分細かく粉砕できないおそれがある。細かく粉砕できたとしても、粉砕に要する時間がかかる問題も発生する。特に、成人用の紙おむつはその大きさも様々であるので、充分に粉砕できる場合とそうでない場合が生ずるおそれがある。
【０００７】
そこで、この発明はこのような従来の課題を解決したものであって、特に２つの回転刃を互いに噛み合わせた構成の粉砕手段を用いることで、紙おむつなどを含めたサニタリー用品を確実に粉砕処理できるサニタリー用品処理装置を提案するものである。
【課題を解決するための手段】
【０００８】
上述の課題を解決するため、請求項１に記載したこの発明に係るサニタリー用品処理装置は、上端側が開口されてサニタリー用品の投入口となされ、その下端側が排水管に接続される排出口となされた処理用筐体と、
上記処理用筐体の内部に装備された粉砕手段とで構成され、
上記粉砕手段は、互いに噛合する第１および第２の回転刃部材を有し、
上記粉砕手段は、互いに噛合する第１および第２の回転刃部材を有し、
上記第１および第２の回転刃部材のそれぞれは、上記投入口に対して水平に設置されると共に、これら回転刃部材は、同軸上に所定の間隔を保持して設けられた複数の回転刃で構成されたことを特徴とする。
【０００９】
この発明では、上端側が開口されて投入口となされ、下端側が排出口となされた、ほぼ角体状をなす処理用筐体を有する。処理用筐体の内部に粉砕手段が設けられる。粉砕手段は、互いに噛合する第１および第２の回転刃部材を有する。
【００１０】
第１および第２の回転刃部材のそれぞれは、投入口に対して水平となるように設置される。これらの回転刃部材は、同軸上に所定の間隔を保持して設けられた複数の回転刃で構成される。投入口には蓋体が設けられ、閉蓋した状態で使用される。  
処理用筐体の投入口からサニタリー用品が投入される。サニタリー用品としては、上述した生理用品の他に、ベビー用紙おむつ、成人用紙おむつなど、粉砕処理して排出すべきものを含むものとする。
【００１１】
投下されたサニタリー用品は第１の回転刃部材と第２の回転刃部材との間に掻き込まれることで、サニタリー用品は複数の回転刃によって切断されながら粉砕される。回転刃としてクロスカット刃を使用する場合には、この回転刃によって細かく裁断された状態で粉砕される。
【００１２】
粉砕されたサニタリー用品は回転刃部材の下側に落下する。したがって粉砕処理中あるいは粉砕処理後に、投入口側から適量の洗浄水を流し込むことで、粉砕されたサニタリー用品はこの洗浄水と共に排出口から排水管（下水管）側に排出される。
【００１３】
第１および第２の回転刃部材の上方に、サニタリー用品の掻き込み手段を配置する場合には、サニタリー用品がこの掻き込み手段によって強制的に回転刃部材側に掻き込まれて送り込まれると共に、この掻き込み手段によってサニタリー用品の一部が粗く切り裂かれるので、サニタリー用品を確実に粉砕することができる。
【００１４】
回転刃と回転刃との間に粉砕物の掻き落とし手段を配設すれば、回転刃と回転刃との間に挟まった粉砕物を掻き落とすことができるので、粉砕物が絡まって粉砕処理が低下するおそれもない。
【発明の効果】
【００１５】
この発明では、回転刃を使用した粉砕手段を用いてサニタリー用品を粉砕処理して排出するようにしたものである。
【００１６】
これによれば、複数の回転刃によってサニタリー用品を強制的に裁断し、粉砕するものであるから、サニタリー用品をより確実に粉砕できる。そのため、排水管が詰まったりする事故を未然に防止できる。
【発明を実施するための最良の形態】
【００１７】
続いて、この発明に係るサニタリー用品処理装置の好ましい実施例を図面を参照して詳細に説明する。
【実施例１】
【００１８】
図１はこの発明に係るサニタリー用品処理装置４０を、既存のトイレ装置（水洗トイレ）１０に装備したときの関係を示す。
【００１９】
洋式トイレの場合を説明すると、水洗トイレ１０は便器１２を有する。便器１２の投入口側には便蓋１４が取り付けられる。便器１２の奥には水洗タンク１６がある。水洗タンク１６には水道管２４が止水栓１８を介して連結される。便器１２の排出部２０は、排水管（下水管）２２に連結される。
【００２０】
トイレ室１１の内部であって、便器１２に隣接した位置にサニタリー用品処理装置４０が設置される。サニタリー用品処理装置４０は、サニタリー用品を投入し易くするため、取り付け台座５０の上に高さを調整した上で設置される。
【００２１】
サニタリー用品処理装置４０は、処理用筐体６０を有する。処理用筐体６０の下端側に設けられた排出口６０ｂはＳ字トラップ管５２を介して導管５４に連結され、導管５４は連結部５６を介して排水管２２と連結される。
【００２２】
処理用筐体６０の上端側の端面（上端面）は矩形状に開口された投入口６０ａとなされる。この投入口近傍に給水管２６が導かれる。給水管２６は洗浄水を処理用筐体６０内に供給するためのものである。給水管２６に設けられた止水栓２８は、この例では電磁弁が使用される。
【００２３】
処理用筐体６０は蓋体６５を有する。蓋体６５によって投入口６０ａが閉蓋される。蓋体６５にはロック手段６６が設けられる。
【００２４】
処理用筐体６０は粉砕手段７０を備える。粉砕手段７０は回転刃を備える。蓋体６５を開けて、投入口６０ａ側から処分すべきサニタリー用品が処理用筐体６０内に投入され、投入されたサニタリー用品をこの粉砕手段７０によって細かく粉砕処理する。粉砕処理されたサニタリー用品は洗浄水と共に排出される。
【００２５】
図２以下に粉砕手段７０の具体例を示す。図２はサニタリー用品処理装置４０の縦断面図であり、図５は投入口６０ａ側からの平面図である。処理用筐体６０はその投入口６０ａが矩形状をなし、下端側に向かって細くなり、下端側が排出口６０ｂとなっている。
【００２６】
処理用筐体６０の内部であって、その中央部付近に粉砕手段７０が設けられる。粉砕手段７０は互いに噛合しあう関係に配置された第１および第２の回転刃部材７０Ａ，７０Ｂからなり、処理用筐体６０の左右側壁６１ａ、６１ｂ（図５参照）に差し渡された状態で固定される。したがって第１および第２の回転刃部材７０Ａ，７０Ｂは投入口６０ａに対して平行（水平）に配置される。
【００２７】
図３に示すように、第１の回転刃部材７０Ａは、その回転軸７０ａに複数の回転刃７４（７４ａ、７４ｂ・・・）が所定の間隔を保持して配列される。第２の回転刃部材７０Ｂも同様に構成され、その回転軸７０ｂに同じ数か、１個多い回転刃７６（７６ａ，７６ｂ，・・・）が配列されて構成され、回転刃７４と７６とは互い違いとなるように配置される。回転刃７４，７６の大きさや設置すべき個数などは、処理用筐体６０の収容スペースによって変わる。図５のような矩形状をなし、排出口６０ｂ側が細められたスペースの処理用筐体６０を使用する場合には、４〜７枚の回転刃を使用してそれぞれの回転刃部材７０Ａ，７０Ｂが構成される。
【００２８】
ここで、互いに隣り合う回転刃７４と７６とは完全に噛み合う状態では配置されていない。それは、取り扱うサニタリー用品は、ある程度の厚みがあることから、サニタリー用品を切断し易くするため、これらの厚みを考慮して図２に示すように、隣り合う回転刃７４と７６との間隔や、回転軸７０ａ，７０ｂまでの対向距離が設定される。
【００２９】
回転刃７４，７６としては、先端部が刃状となっている円盤状の回転刃や、その周面部に尖端を持った楕円状の回転刃（いわゆるクロスカット刃）などを使用することができる。前者の回転刃よりも後者の回転刃の方が、短冊状に細かく裁断できる。
【００３０】
図４は後者の回転刃７４の一例を示すもので、ほぼ１８０°対向する位置に一対の尖端刃７５ａを有する。尖端刃７５ａは回転方向ａに向かって尖端刃の端面が対峙するような刃形状をなす。他方の回転刃７６においても同じ構造の尖端刃７７ａを有する（図３参照）。
【００３１】
図３に示すように、複数の回転刃７４を回転軸７０ａに取り付ける場合、尖端刃７５ａの取り付け位置は、順次所定角度（３０°程度）だけ回転位相がずれるように取り付け固定される。他方の回転刃７６にあっても順次所定角度だけ回転位相がずれた状態で回転軸７０ｂに取り付け固定される。したがって、図２のように尖端刃７５ａ，７７ａ同士が互いに対峙した状態で少許の間隙を保持しながら回転駆動される。実際には回転刃７４と７６とは噛み合った状態で駆動される訳ではないが、サニタリー用品を介在させた状態では、回転刃７４と７６とが噛み合ってサニタリー用品が裁断されることになる。
【００３２】
この例では、さらに図２に示すように粉砕手段７０の上方に掻き込み手段８０が配置される。掻き込み手段８０は、投入口６０ａ側より投入されサニタリー用品が確実に粉砕手段７０の中心部に導かれるようにするためのものである。そのため、この掻き込み手段８０も第１および第２の掻き込み回転部材８０Ａ，８０Ｂで構成される。
【００３３】
第１の掻き込み回転部材８０Ａは、図５に示すように複数の回転体８４（８４ａ，８４ｂ，・・・）で構成される。回転体８４には図２に示すように、その周面に弓なり状をなす複数個例えば４個の掻き込み爪８５ａが一体形成されており、これらの回転体８４が所定の間隔を保持して複数個回転軸８２ａに取り付け固定される。
【００３４】
第２の掻き込み回転部材８０Ｂも同様に構成され、複数の掻き込み爪８７ａを有する回転体８６が所定の間隔を保持して複数個回転軸８２ｂに取り付け固定される。この場合、図２に示すように投下されたサニタリー用品を粉砕手段７０側、具体的には第１の回転刃部材７０Ａと第２の回転刃部材７０Ｂとの対向間隙内に落とし込めるように、掻き込み爪８５ａ、８７ａの配置位置と、これら掻き込み爪８５ａ，８７ａの互いの掻き込み方向が選定される。
【００３５】
上述した所定間隔とは、粉砕手段７０の場合よりも粗い。第１および第２の掻き込み回転部材８０Ａ，８０Ｂの対向間隔も、粉砕手段７０のそれよりも粗い。何れも粉砕機能を付与することを第一義の目的とした部材ではないからである。この掻き込み手段８０にも裁断機能を付加するには、粉砕手段７０と同様の回転
粉砕手段７０と掻き込み手段８０とは処理用筐体６０に対して着脱自在に装着固定される。図５以下を参照して説明する。図５は掻き込み手段８０についての具体例を示す。
【００３６】
図５に示すように、第１の掻き込み回転部材８０Ａに設けられた回転軸８２ａの一端側を軸支するため、側壁６１ａに穿設された取り付け孔６２ａに取り付け固定される装着固定手段９０は、軸受け９０ａと、この軸受け９０ａを固定すると共に、側壁６１ａに装着される固定部９０ｂとで構成される。
【００３７】
固定部９０ｂは側壁６１ａに対して水密的に装着できるような材質が使用される。この例では比較的硬質のゴム材かプラスチック材で成形されており、この固定部９０ｂを側壁６１ａに嵌め込んで固定するようにした場合である。
【００３８】
回転軸８２ａの他端部も装着固定手段９２によって軸支される。この装着固定手段９２は、側壁６１ｂに穿設された比較的大きな取り付け孔６２ｂに装着固定される。この装着固定手段９２も上述と同じ構成であって、その内面側に取り付けられた軸受け９２ａと、この軸受け９２ａを固定する固定部９２ｂで構成される。
【００３９】
第２の掻き込み回転部材８０Ｂに関しても同じように構成されている。つまり回転軸８２ｂの一端側を軸支するため、装着固定手段９４が設けられ、他端側を軸支するための装着固定手段９６が設けられる。装着固定手段９４は軸受け９４ａと固定部９４ｂとで構成され、他方の装着固定手段９６も軸受け９６ａと固定部９６ｂとで構成される。一方の装着固定手段９４は側壁６１ａに設けられた取り付け孔６３ａに装着固定され、他方の装着固定手段９６は側壁６１ｂに設けられた比較的大きな取り付け孔６３ｂに装着固定される。
【００４０】
側壁６１ｂの外側には、回転軸８２ａ、８２ｂを駆動するための駆動手段１００が設けられる。そのため、それぞれの回転軸８２ａ、８２ｂには互いに噛合する歯車９７ａ、９７ｂが取り付けられると共に、この例では一方の回転軸８２ａ側に取り付けられたプーリ１０１を介して駆動モータ１０３からの回転力が伝達される。そのため、駆動モータ１０３側のプーリ１０２と、回転軸８２ａ側のプーリ１０１とがベルト１０４によって連結される。
【００４１】
また、駆動モータ１０３側からの回転力を粉砕手段７０側にも伝達するため、図６に示すような回転力の伝達系が構成される。そのため、粉砕手段７０に設けられた回転軸７０ａ、７０ｂに関連して互いに噛合する一対の歯車９８ａ、９８ｂが設けられると共に、この例では回転軸８２ａに設けられた歯車８４ａから中間歯車９９を介して歯車９８ａ側に回転力が伝達される構成となっている。
【００４２】
処理用筐体６０の外面に取り付けられた駆動手段１００や歯車９７ａ、９７ｂなどは、外部に露呈しないように矩形状をなすケース１１０によってカバーされている。
【００４３】
処理用筐体６０の投入口６０ａ側は上述したように蓋体６５が設けられているが、この蓋体６５にはロック手段６６を備える。そのため、蓋体６５の先端部には図７および図８に示すようにロック用の爪６６ａが設けられ、他方このロック爪６６ａに対応した投入口６０ａ側にもロック用の突起６６ｂが設けられている。このロック爪６６ａをロック用突起６６ｂに係止することによってロック手段６６が構成され、ロック手段６６を使用することで蓋体６５をロックすることができる。
【００４４】
図２に示すように、粉砕手段７０に関連して、その回転刃部材７０Ａ、７０Ｂの下側にはそれぞれ掻き落とし部材１２０が設けられる。この掻き落とし部材１２０は回転刃７４と回転刃７４（回転刃７６と７６）との間に絡みついたサニタリー用品の粉砕物を掻き落とすために設けられている。
【００４５】
図９にその一例を示す。図９に示す掻き落とし部材１２０は、図９Ａ，Ｂに示すように櫛歯状をなす板体１２２で構成され、上述した隣接する回転刃７４の間に櫛歯１２４が入り込めるように、櫛歯１２４のピッチと深さおよび数が選定される。板体１２２は回転刃の回転方向を向くように所定の角度を以て折り曲げられている（図９Ｂ参照）。
【００４６】
掻き落とし部材１２０としては、図９のような板体ではなく、回転ブラシを使用することもできる。この場合には図１０に示すように１枚の回転板１２６に放射状に延びる多数のブラシ片１２６ａを植設したものを、同軸上に複数配列し、それぞれの回転板１２６が隣接する回転刃７４の間に入り込むように図２に示す処理用筐体６０の内壁に取り付ければよい。回転ブラシは、それ自身回転駆動する構成が好ましい。
【００４７】
図２に示すように処理用筐体６０の投入口６０ａ側には漏斗状をなす隔壁板１２８が設けられ、この隔壁板１２８の内部まで給水管２６の管口２６ａが導出される。投入されたサニタリー用品が掻き込み手段８０側に投入されないときでも、隔壁板１２８の作用で掻き込み手段８０側に呼び込むことができる。また、この隔壁板１２８の作用で、掻き込み手段８０および粉砕手段７０の中央部に向かって給水できる。結果として、給水された水道水が効率よく掻き込み手段８０側に導くことができる。
【００４８】
図１１はサニタリー用品処理装置４０を駆動するための制御系１３０の一例を示す。この例ではＣＰＵで構成された制御部１３１を有し、この制御部１３１には処理用筐体６０に投入口６０ａ側に設けられた電源スイッチ１３２と粉砕スイッチ１３３（図２参照）の各制御信号が供給される。電源スイッチ１３２は制御部１３１に対する電源スイッチとして機能する他、給水用電磁弁２８や粉砕用駆動モータ１０３の電源スイッチとして機能する。
【００４９】
電源スイッチ１３２と粉砕スイッチ１３３は共に、この例ではカバー１１０の上部に設けられている（図２参照）。制御部１３１からの制御信号に基づいて、この例では上述した電磁弁２８と駆動モータ１０３が所定のタイミングで制御される。
【００５０】
図１２にそのタイミングチャートの一例を示す。図１２は電源スイッチ１３２を投入した後のタイミングチャートを示す。サニタリー用品を処理用筐体６０内に投入してから、蓋体６５を閉蓋した後に粉砕スイッチ１３３が操作される（図１２Ａ）。粉砕スイッチ１３３が投入されると駆動モータ１０３が駆動されるため、その回転力が図６に示す伝達系を介して掻き込み手段８０と粉砕手段７０とに伝達される。その結果、掻き込み手段８０と粉砕手段７０が回転駆動される（図１２Ｂ）。
【００５１】
掻き込み手段８０が駆動されると、投入されたサニタリー用品が掻き込み手段８０の中央部側に集まるように、爪８５ａ、８７ａによってサニタリー用品が掻き込まれる。掻き込まれることで掻き込み手段８０の下側まで落とし込まれたサニタリー用品は粉砕手段７０に到達する。粉砕手段７０は多数の回転刃によって構成されているので、サニタリー用品が回転刃７４と７６との間に食い込まれることで、サニタリー用品は噛合する回転刃７４，７６同士の作用で、短冊状に裁断される。回転刃はクロスカット刃であるので、短冊状に裁断されたサニタリー用品はさらに細かく裁断されて粉砕される。
【００５２】
粉砕処理時間Ｔ１が経過する前の所定時間、この例では粉砕処理が開始されてから所定時間ΔＴ１後に給水用の電磁弁２８が作動する（図１２Ｃ）。電磁弁２８の作動により導水板１２８に案内された粉砕水は処理用筐体６０の中央部に集中するから、粉砕されたサニタリー用品は水分を含んだ状態で排出口６０ｂ側に落下する。排出口６０ｂの内径は図２に示すように投入口６０ａ側よりも細くなっており、したがって給水量を調整することで、粉砕されたサニタリー用品が排出口６０ｂから完全に排水管側に流下する前に、排出口６０ｂを塞いだ状態となるから粉砕水が排出口６０ｂ側に多少溜まる。この溜水によってサニタリー用品が多少軟化することで、粉砕されたサニタリー用品の排出がスムーズになる。
【００５３】
給水は、サニタリー用品を軟化し易くする目的の他に、処理用筐体６０の内部を洗浄する目的もあるので、図１２Ｃのように粉砕処理が終了して洗浄処理に充分な時間が経過してから電磁弁２８への給電が停止するように制御される。ベビー用品から成人用品までを考慮すると、サニタリー用品の大きさがまちまちであることから、粉砕処理時間Ｔ１や給水時間Ｔ２は比較的長目に選定される。この例では、所定時間Ｔ１，Ｔ２とも、１０〜２０秒位に設定されている。これらの時間Ｔ１，Ｔ２を外部から調整できるように構成することもできる。例えば、外部に設けた調整ボタンによって「短、中、長」のような３段階に切り替えられるようにすることも可能である。給水タイミングは、図１２Ｄのように粉砕処理が終了した時点から開始することも可能である。
【実施例２】
【００５４】
図１３以下に実施例２を説明する。実施例１では、粉砕手段７０の上方側に掻き込み手段８０を設置し、投入口６０ａ側より投下されたサニタリー用品を効率よく粉砕手段７０側に落とし込めるように構成した。
【００５５】
図１３では、この掻き込み手段８０を省いた構成である。掻き込み手段８０を省く代わりに、漏斗状に構成された隔壁板１２８を図のようにその開口端面１２８ａを粉砕手段７０の上部側を囲繞するように、くびれ部分からハの字状に開口する開口面とする。
【００５６】
こうすることで、投入口６０ａ側より投下されたサニタリー用品の投下位置が悪い場合でも、例えば粉砕手段７０と処理用筐体６０の内面との間にサニタリー用品が投下されたような場合でも、その隙間にサニタリー用品が挟まって、粉砕できなくなるのを防止している。
【００５７】
図１４はサニタリー用品処理装置の他の例の側面図であって、図６の場合と同じようにそれぞれの回転軸７０ａ，７０ｂには互いに噛合する歯車９８ａ，９８ｂが取り付けられ、そして一方の回転軸７０ａにはプーリ１０５が設けられている。駆動モータ１０３にもプーリ１０２が連結されているので、これらプーリ１０２，１０５間にベルト１０４を連結すれば、駆動モータ１０３の回転力を粉砕手段７０に伝達して、それぞれの回転刃７４，７６を回転駆動できる。
【００５８】
このように構成した場合でも、実施例１とほぼ同様の粉砕処理を実現できる。実施例２の場合は、どちらかと言えば簡易サニタリー用品処理装置と位置付けることができる。その他の構成は実施例１と同様であるので、その詳細説明は割愛する。
【産業上の利用可能性】
【００５９】
この発明は、家庭用のみならず、ホテル、各種病院、老人介護施設などに設置されているトイレ装置などに適用できる。
【図面の簡単な説明】
【００６０】
【図１】この発明に係るサニタリー用品処理装置を水洗トイレに適用したときの一例を示す構成図である。
【図２】この発明に係るサニタリー用品処理装置の一例を示す要部断面図である。
【図３】処理用筐体内に設置される粉砕手段の一例を示す要部構成図である。
【図４】それに使用される回転刃の一例を示す正面図である。
【図５】処理用筐体の投入口側から見た部分断面図である。
【図６】その側面図である。
【図７】図５の他の側面図であって、蓋体を閉じた状態を示す側面図である。
【図８】蓋体を開けた状態を示す図７と同じような側面図である。
【図９】掻き落とし手段の一例を示す図である。
【図１０】掻き落とし手段の他の例を示す図である。
【図１１】この発明に係るサニタリー用品処理装置の制御系を示す要部の構成図である。
【図１２】そのタイミングチャートの一例を示す図である。
【図１３】この発明に係るサニタリー用品処理装置の他の例を示す図２と同様な要部断面図である。
【図１４】その側面図である。
【符号の説明】
【００６１】
１０・・・水洗トイレ、１２・・・便器、４０・・・サニタリー用品処理装置、５０・・・取り付け台、６０・・・処理用筐体、７０・・・粉砕手段、７０Ａ，７０Ｂ・・・回転刃部材、７４，７６・・・回転刃、８０・・・掻き込み手段、８０Ａ，８０Ｂ・・・第１および第２の掻き込み回転部材、９７ａ，９７ｂ、９８ａ、９８ｂ・・・歯車、１００・・・駆動手段、１０３・・・駆動モータ、１０１，１０２，１０５・・・プーリ、６５・・・蓋体、６０ａ・・・投入口、６０ｂ・・・排出口
【図１】
2007209930.tif 000003
【図２】
2007209930.tif 000004
【図３】
2007209930.tif 000005
【図４】
2007209930.tif 000006
【図５】
2007209930.tif 000007
【図６】
2007209930.tif 000008
【図７】
2007209930.tif 000009
【図８】
2007209930.tif 000010
【図９】
2007209930.tif 000011
【図１０】
2007209930.tif 000012
【図１１】
2007209930.tif 000013
【図１２】
2007209930.tif 000014
【図１３】
2007209930.tif 000015
【図１４】
2007209930.tif 000016